(57)【要約】      （修正有）【課題】コンパクトであり、かつ強度の高い制振構造を構成するための制振ダンパーを提供する。【解決手段】平行する２本の柱２ａ、２ｂの一方の柱２ａと、他方の柱２ｂの上側から一方の柱２ａに架ける上筋かい４と、他方の柱２ｂの下側から一方の柱２ａに架ける下筋かい６と、を連結する制振ダンパー１であって、一方の柱２ａに固定するベースプレートと、上筋かい４と下筋かい６を固定する筋かい取付部材と、ベースプレートと筋かい取付部材との間に配置する振動吸収フィンと、からなり、筋かい取付部材は平面視Ｌ字状であり、一方の辺の外側の面に上筋かい４と下筋かい６を固定し、振動吸収フィンは、平板状の変形部を有し、振動吸収フィンの一方の端部をベースプレートに固定し、他方の端部を筋かい取付部材の他方の辺の内側の面に固定する。【選択図】図１
0003227827.tif 000002
【実用新案登録請求の範囲】
【請求項１】
平行する２本の柱の一方の柱と、他方の柱の上側から当該一方の柱に架ける上筋かいと、他方の柱の下側から当該一方の柱に架ける下筋かいと、を連結する制振ダンパーであって、
前記一方の柱に固定するベースプレートと、
前記上筋かいと前記下筋かいを固定する筋かい取付部材と、
前記ベースプレートと前記筋かい取付部材との間に配置する振動吸収フィンと、からなり、
前記筋かい取付部材は平面視Ｌ字状であり、一方の辺の外側の面に前記上筋かいと前記下筋かいを固定し、
前記振動吸収フィンは、平板状の変形部を有し、
前記振動吸収フィンの一方の端部を前記ベースプレートに固定し、他方の端部を前記筋かい取付部材の他方の辺の内側の面に固定することを特徴とする、
制振ダンパー。
【請求項２】
請求項１に記載の制振ダンパーにおいて、
前記振動吸収フィンの前記変形部は、前記ベースプレート及び前記筋かい取付部材に固定した端部よりも中央の面積が狭いことを特徴とする。
制振ダンパー。
【請求項３】
請求項１又は２に記載の制振ダンパーにおいて、
前記ベースプレートと前記筋かい取付部材との間にスケール部材を配置することを特徴とする、
制振ダンパー。
【考案の詳細な説明】
【技術分野】
【０００１】
本考案は、木造住宅において、壁構造に追加して用いる事ができる制振ダンパーに関するものである。
【背景技術】
【０００２】
戸建の木造住宅の制振構造として、柱や筋かいからなる壁構造に、制振ダンパーを別に設けるものが一般的に知られている。
【０００３】
制振ダンパーとしては、例えば特許文献１に記載のダンパーが知られている。
従来の制振ダンパーは、高さ方向に並列した複数の振動吸収フィンの両側に、筋かい固定部材と柱に固定するベースプレートとをそれぞれ設けたものである。
【先行技術文献】
【特許文献】
【０００４】
【特許文献１】特開２０１０−１２１３４８号公報
【考案の概要】
【考案が解決しようとする課題】
【０００５】
従来の制振ダンパーは、平板上の筋かい固定部材が振動吸収フィンから突出して設けられているため、制振ダンパーの横幅が大きくなる。
このため、柱の間隔が一定以上の大きさでなければ制振ダンパーを用いることができない。
【０００６】
本考案は、コンパクトであり、かつ強度の高い制振構造を構成するための制振ダンパーを提供することを目的とする。
【課題を解決するための手段】
【０００７】
上記目的を達成するためになされた本願の制振ダンパーは、平行する２本の柱の一方の柱と、他方の柱の上側から当該一方の柱に架ける上筋かいと、他方の柱の下側から当該一方の柱に架ける下筋かいと、を連結する制振ダンパーであって、前記一方の柱に固定するベースプレートと、前記上筋かいと前記下筋かいを固定する筋かい取付部材と、前記ベースプレートと前記筋かい取付部材との間に配置する振動吸収フィンと、からなり、前記筋かい取付部材は平面視Ｌ字状であり、一方の辺の外側の面に前記上筋かいと前記下筋かいを固定し、前記振動吸収フィンは、平板状の変形部を有し、前記振動吸収フィンの一方の端部を前記ベースプレートに固定し、他方の端部を前記筋かい取付部材の他方の辺の内側の面に固定するものである。
また、前記振動吸収フィンの前記変形部は、前記ベースプレート及び前記筋かい取付部材に固定した端部よりも中央の面積を狭くしてもよい。
また、前記ベースプレートと前記筋かい取付部材との間にスケール部材を配置してもよい。
【考案の効果】
【０００８】
本考案の制振ダンパーは、筋かい取付部材が振動吸収フィンから突出しないため、制振ダンパーの横幅が小さく、柱の間隔が狭い場所にも制振ダンパーを用いることができるという効果を有する。
【図面の簡単な説明】
【０００９】
【図１】壁構造（制振構造）の説明図
【図２】制振ダンパーの斜視図
【図３】制振ダンパーの正面図
【図４】制振ダンパーの変形図
【図５】その他実施例にかかる制振ダンパーの斜視図（１）
【図６】その他実施例にかかる制振ダンパーの斜視図（２）
【考案を実施するための形態】
【００１０】
以下、図に示す実施例に基づき、本考案を詳細に説明する。
【実施例１】
【００１１】
（１）制振構造
本考案の制振ダンパー１は、壁構造に制振機能を付与し、制振構造とするための部材である。
本実施例における制振構造を適用する壁構造は、平行する２本の柱２ａ、２ｂと、梁３や柱２ｂの上部から柱２ａに架ける上筋かい４、及び、土台５や柱２ｂの下部から柱２ａに架ける下筋かい６からなる（図１）。
上筋かい４の柱２ｂ側の端部は、柱２ｂの上端付近及び／又は梁３に固定する。下筋かい６の柱２ｂ側の端部は、柱２ｂの下端付近及び／又は土台５に固定する。
【００１２】
（２）制振ダンパー
本考案の制振ダンパー１は、一方の柱２ａの高さ方向の中央に取り付けて、当該柱２ａと上筋かい４、下筋かい６を連結するものである。
制振金物１は、柱２ａと接合するベースプレート１１と、上筋かい４及び下筋かい６に接合する筋かい取付部材１２と、ベースプレート１１と筋かい取付部材１２との間に平行に設ける複数の振動吸収フィン１３とからなる（図２）。
【００１３】
（２−１）ベースプレート
ベースプレート１１は鋼製の平板である。
ベースプレート１１は、柱２ａに当接して、ビス等によって固定する。平面を当接した状態でビス等により固定するため、容易に取り付けることができる
ベースプレート１１の表面には、振動吸収フィン１３を固定する。
【００１４】
（２−２）筋かい取付部材
筋かい取付部材１２は断面Ｌ字状の鋼板である。
筋かい取付部材１２は、Ｌ字の一辺を成す平面状のフィン固定部１２１の内側に振動吸収フィン１３を固定する。
そして、Ｌ字のもう一辺を成す平面状の筋かい固定部の外側に筋かいを当接して、ビス等によって固定する（図３）。平面を当接した状態でビス等により固定するため、容易に取り付けることができる。
筋かい取付部材１２は、振動吸収フィン１３から突出しないため、制振ダンパー１の横幅が小さく、柱の間隔が狭い場所にも制振ダンパー１を用いることができる。
【００１５】
（２−３）振動吸収フィン
振動吸収フィン１３は、断面Ｕ字状の鋼板である。
振動吸収フィン１３は、両端を平行に屈曲した固定部１３１と、固定部１３１を連結する変形部１３２と、からなる。
振動吸収フィン１３は、振動に伴う変形部１３２の変形が、変形部１３２の中央に対して対称となるように、変形部１３２を固定部１３１から中央にかけて徐々に幅狭に形成し、中央の面積が狭くなるように構成する。
振動吸収フィン１３の一方の固定部１３１はベースプレート１１の表面に、他方の固定部１３１はフィン固定部１２１の内側表面に、それぞれ溶接等により固定する。
【００１６】
（２−４）スケール部材
制振ダンパー１には、変位量を目視するためのスケール部材１４を設ける。
スケール部材１４は、両端をベースプレート１１と、筋かい取付部材１２のフィン固定部１２１の内側に固定する。
スケール部材１４は、中央から所定の範囲を幅狭に絞った変形部１４１を設ける（図３）。この変形部１４１は、振動吸収フィン１３の変形部１３２よりも中央で絞ることで、長さを変形部１３２よりも短くする。
【００１７】
（３）制振機能
地震により木造住宅に力が作用すると、柱２ａ、２ｂに傾きが生じる。そして、柱２ａと上下筋かい４、６とが変位し、それに合わせてベースプレート１１と筋かい取付部材１２とが相対的に変位する。（図４）
上下の筋かい４、６は筋かい取付部材１２に固定されているため、上下の筋かい４、６と筋かい取付部材１２は柱２ａ及びベースプレート１１に対して上下方向に変位する。この変位に合わせて振動吸収フィン１３が変形し、制振機能が働く。
【００１８】
（４）スケール部材による変位量の検知
制振金物１にはスケール部材１４を設けてあり、振動吸収フィン１３と同様に変形する。そしてスケール部材１４は中央を絞って変形部１４１を設けているため、変形時の応力は変形部１４１に集中する。
スケール部材１４の変形部１４１は、長さが振動吸収フィン１３の変形部１３２よりも短いため、変形部１４１端部の曲げの大きさが変形部１３２よりも大きくなり、振動吸収フィン１３よりも先に破断してしまう。
これにより、振動吸収フィン１３の性能寿命を確認することができる。
【００１９】
［その他実施例］
（１）振動吸収フィンの形状
上記実施例においては、振動吸収フィン１３は、固定部１３１及び変形部１３２を有する断面Ｕ字状の鋼板により構成したが、平板状の鋼板からなる変形部１３２の両端をベースプレート１１とフィン固定部１２１とに固定して振動吸収フィンとしてもよい（図５）。
【００２０】
また、変形部１３２は変形部１３２を固定部１３１から中央にかけて徐々に幅狭に形成したが、変形部１３２の中心に、円孔状、略楕円孔状若しくは長孔状の貫通孔１３３を設けてもよい（図６）。
貫通孔１３３により、両端のベースプレート１１とフィン固定部１２１との固定部分に比べて中央は変形部１３２の面積が狭くなるため、振動に伴う変形部１３２の変形が、変形部１３２の略中央に対して対称となる。
【符号の説明】
【００２１】
１        制振ダンパー
１１      ベースプレート
１２      筋かい取付部材
１２１    フィン固定部
１２２    筋かい固定部
１３      振動吸収フィン
１３１    固定部
１３２    変形部
１３３    貫通孔
１４      スケール部材
２        柱
３        梁
４        上筋かい
５        土台
６        下筋かい
【図１】
0003227827.tif 000003
【図２】
0003227827.tif 000004
【図３】
0003227827.tif 000005
【図４】
0003227827.tif 000006
【図５】
0003227827.tif 000007
【図６】
0003227827.tif 000008
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
平行する２本の柱の一方の柱と、他方の柱の上側から当該一方の柱に架ける上筋かいと、他方の柱の下側から当該一方の柱に架ける下筋かいと、を連結する制振ダンパーであって、
前記一方の柱に固定するベースプレートと、
前記上筋かいと前記下筋かいを固定する筋かい取付部材と、
前記ベースプレートと前記筋かい取付部材との間に配置する振動吸収フィンと、からなり、
前記筋かい取付部材は平面視Ｌ字状であり、一方の辺の外側の面に前記上筋かいと前記下筋かいを固定し、
前記振動吸収フィンは、平板状の変形部を有し、
前記振動吸収フィンの一方の端部を前記ベースプレートに固定し、他方の端部を前記筋かい取付部材の他方の辺の内側の面に固定することを特徴とする、
制振ダンパー。
【請求項２】
請求項１に記載の制振ダンパーにおいて、
前記振動吸収フィンの前記変形部は、前記ベースプレート及び前記筋かい取付部材に固定した端部よりも中央の面積が狭いことを特徴とする、
制振ダンパー。
【請求項３】
請求項１又は２に記載の制振ダンパーにおいて、
前記ベースプレートと前記筋かい取付部材との間にスケール部材を配置することを特徴とする、
制振ダンパー。